(57)【要約】【課題】  筐体に対する読取ユニットの固定を容易に行うことができるようにする。【解決手段】  原稿画像を読み取るための画像読取装置２０であり、箱形を呈した筐体３０と、原稿画像に光を照射する光源ランプ４１１を備えた光源ユニット４１および光源ランプ４１１の原稿画像からの反射光を所定のＣＣＤユニット５０に入光させることにより原稿画像を読み取る筐体３０内で移動可能な読取ユニット４０と、この読取ユニット４０を筐体３０に固定する固定手段とが備えられ、固定手段は、読取ユニット４０が固定されるべき固定位置の近傍に位置した状態で当該読取ユニット４０を固定位置まで移動させて位置決めする引寄せアーム６８と、この引寄せアーム６８によって位置決めされた読取ユニット４０をロックするロックピン６３と、これら引寄せアーム６８およびロックピン６３にそれぞれの動作をワンタッチ操作で行わせる操作部材６９とを備えている。【選択図】      図２
2007065275.tif 000002
【特許請求の範囲】
【請求項１】
所定の透明な載置面に載置された原稿の前記載置面に当接している面の画像を読み取る画像読取装置であって、
箱形を呈した筐体と、前記原稿画像に光を照射する光源およびこの光源の原稿画像からの反射光を所定のイメージセンサに入光させることにより原稿画像を読み取る前記筐体内で移動可能な読取ユニットと、この読取ユニットを筐体に固定する固定手段とが備えられ、
前記固定手段は、前記読取ユニットが固定されるべき固定位置の近傍に位置した状態で当該読取ユニットを前記固定位置まで移動させて位置決めする位置決め部材と、この位置決め部材によって位置決めされた前記読取ユニットをロックするロック部材と、これら位置決め部材およびロック部材にそれぞれの動作をワンタッチ操作で行わせる操作部材と、
を備えていることを特徴とする画像読取装置。
【請求項２】
前記位置決め部材は、固定位置近傍に位置した読取ユニットをワンタッチ操作で固定位置に引き寄せる引寄せアームを備え、前記ロック部材は、前記引寄せアームが読取ユニットを固定位置に引き寄せた状態で筐体と読取ユニットとを読取ユニットの移動方向と交差する方向に向けて貫通するロックピンを備えていることを特徴とする請求項１記載の画像読取装置。
【請求項３】
前記操作部材は、前記ワンタッチ操作を行うための操作片を有し、この操作片は、前記筐体が所定の外装カバーにより覆われた状態で当該外装カバーの外側へ突出するように寸法設定されていることを特徴とする請求項２記載の画像読取装置。
【請求項４】
前記固定手段が装着されてユニット化され、かつ、前記筐体の外面側に固定可能に構成されたロックユニットを備えたことを特徴とする請求項１乃至３のいずれかに記載の画像読取装置。
【請求項５】
前記読取ユニットは、前記光源を備えた光源ユニットと、前記反射光を前記イメージセンサに入光させる所定枚数のミラーを備え、かつ、前記光源ユニットと連動するミラーユニットとからなり、前記位置決め部材は、前記操作部材の操作で前記光源ユニットを固定位置に移動させた状態で前記ロック部材として機能するものであることを特徴とする請求項１乃至４のいずれかに記載の画像読取装置。
【発明の詳細な説明】
【技術分野】
【０００１】
本発明は、電子写真方式の複写機やイメージリーダ等の画像形成装置への適用が好適な、移動式の読取ユニットを備えた画像読取装置に関するものである。
【背景技術】
【０００２】
従来、特許文献１に記載されているような画像読取装置が知られている。この画像読取装置は、所定の筐体内にイメージセンサや原稿照明用の光源等を搭載した読取ユニットが装着されて構成されている。そして、読取ユニットを移動させることにより、イメージセンサに対向配置された原稿の原稿面を走査させ、これによって原稿面の画像情報を読み取るようになっている。
【０００３】
ところで、かかる原稿読取装置にあっては、当該画像読取装置の輸送時に読取ユニットが筐体内でがたつき、これによって装置が損傷する虞がある。このような虞をなくすために、特許文献１の画像読取装置においては、互いに対向する筐体の側壁と、読取ユニットの所定のフレームとにそれぞれ孔心が同心の貫通孔（フレームの貫通孔は螺子孔）を穿設し、画像読取装置の輸送時にこれらの貫通孔に螺子を差し通して螺着締結し、これによって輸送時の読取ユニットのがたつきを防止するようになされている。
【特許文献１】特開平７−２４０８２１号公報
【発明の開示】
【発明が解決しようとする課題】
【０００４】
しかしながら、特許文献１の画像読取装置にあっては、輸送時に読取ユニットを筐体と一体化させるべく、螺子を一々筐体の貫通孔に差し込んでその先端を読取ユニットのフレームの螺子孔に螺着しなければならず、その作業が繁雑で作業性が劣るという問題点を有していた。
【０００５】
本発明は、かかる状況に鑑みなされたものであって、筐体に対する読取ユニットの固定を容易に行うことが可能な画像読取装置を提供することを目的としている。
【課題を解決するための手段】
【０００６】
請求項１記載の発明は、所定の透明な載置面に載置された原稿の前記載置面に当接している面の画像を読み取る画像読取装置であって、箱形を呈した筐体と、前記原稿画像に光を照射する光源およびこの光源の原稿画像からの反射光を所定のイメージセンサに入光させることにより原稿画像を読み取る前記筐体内で移動可能な読取ユニットと、この読取ユニットを筐体に固定する固定手段とが備えられ、前記固定手段は、前記読取ユニットが固定されるべき固定位置の近傍に位置した状態で当該読取ユニットを前記固定位置まで移動させて位置決めする位置決め部材と、この位置決め部材によって位置決めされた前記読取ユニットをロックするロック部材と、これら位置決め部材およびロック部材にそれぞれの動作をワンタッチ操作で行わせる操作部材とを備えていることを特徴とするものである。
【０００７】
かかる構成の画像読取装置によれば、光源からの光を原稿面に照射した状態で読取ユニットを筐体内で移動させて光で原稿面を走査することにより、原稿面からの反射光がイメージセンサに入光され、このイメージセンサによって原稿画像が読み取られることになる。
【０００８】
このような読取ユニットが筐体内で移動するように構成された画像読取装置を例えば製造現場から据え付け現場に向けて輸送するに際し、読取ユニットが固定されるべき固定位置の近傍に位置した状態で操作部材をワンタッチ操作することにより、位置決め部材が当該読取ユニットを前記固定位置まで移動させて位置決めするとともに、ロック部材がこの位置決め状態の読取部材を動かないようにロックするため、その後の輸送に際して筐体内で読取ユニットががたつくことはない。従って、画像読取装置の輸送中に読取ユニットががたついて損傷したり破損したりするような不都合の発生が確実に防止される。
【０００９】
そして、操作部材によるワンタッチ操作で位置決め部材およびロック部材にそれぞれの読取ユニットをロックするための所定の動作を行わせるようになされているため、従来のように読取ユニットを筐体に螺子止めするような面倒な操作を行う必要がなくなるばかりか、輸送後の解包時にワンタッチで操作部材を逆操作することにより、読取ユニットのロックが解除され、画像読取装置は直ちに使用可能な状態になる。
【００１０】
請求項２記載の発明は、請求項１記載の発明において、前記位置決め部材は、固定位置近傍に位置した読取ユニットをワンタッチ操作で固定位置に引き寄せる引寄せアームを備え、前記ロック部材は、前記引寄せアームが読取ユニットを固定位置に引き寄せた状態で筐体と読取ユニットとを読取ユニットの移動方向と交差する方向に向けて貫通するロックピンを備えていることを特徴とするものである。
【００１１】
かかる構成によれば、操作部材を所定の方向に操作することにより、位置決め部材の引寄せアームが固定位置近傍に位置した読取ユニットをワンタッチ操作で固定位置に引き寄せた状態でロック部材のロックピンが筐体と読取ユニットとを読取ユニットの移動方向と交差する方向に向けて貫通されるため、読取ユニットは、操作部材のワンタッチ操作で筐体に確実に固定される。
【００１２】
そして、位置決め部材として読取部材を固定位置に引き寄せる引寄せアームを採用するとともに、ロック部材として筐体と読取ユニットとを読取ユニットの移動方向と交差する方向に向けて貫通するロックピンを採用することにより、読取ユニットを筐体に固定するための位置決め部材とロック部材とを備えた固定手段の構造を簡単なものとした上で、両者を連係動作させることによりワンタッチ操作で読取ユニットを筐体に固定させることが可能になる。
【００１３】
請求項３記載の発明は、請求項２記載の発明において、前記操作部材は、前記ワンタッチ操作を行うための操作片を有し、この操作片は、前記筐体が所定の外装カバーにより覆われた状態で当該外装カバーの外側へ突出するように寸法設定されていることを特徴とするものである。
【００１４】
かかる構成によれば、操作部材の操作片は、筐体が所定の外装カバー（例えば画像読取装置が適用される画像形成装置に設けられた筐体を覆うカバー）に覆われた状態であっても、当該外装カバーから外部に突出した状態になっているため、筐体を一々外装カバーから取り外さなくても外装カバーの外側から操作片を操作することができ便利である。
【００１５】
請求項４記載の発明は、請求項１乃至３のいずれかに記載の発明において、前記固定手段が装着されてユニット化され、かつ、前記筐体の外面側に固定可能に構成されたロックユニットを備えたことを特徴とするものである。
【００１６】
かかる構成によれば、固定手段がロックユニットとしてユニット化されているため、固定手段が設けられていない画像読取装置にユニット化されたロックユニットをオプション的に追加で付加することにより当該画像読取装置が固定手段を備えたものになるため、画像読取装置について固定手段有無の選択性が向上する。
【００１７】
請求項５記載の発明は、請求項１乃至４のいずれかに記載の発明において、前記読取ユニットは、前記光源を備えた光源ユニットと、前記反射光を前記イメージセンサに入光させる所定枚数のミラーを備え、かつ、前記光源ユニットと連動するミラーユニットとからなり、前記位置決め部材は、前記操作部材の操作で前記光源ユニットを固定位置に移動させた状態で前記ロック部材として機能するものであることを特徴とするものである。
【００１８】
かかる構成によれば、操作部材を操作することによる位置決め部材の動作で光源ユニットを固定位置に位置設定すると、当該光源ユニットと連動するミラーユニットも固定位置に位置設定される。そして、位置決め部材は、操作部材の操作で光源ユニットを固定位置に移動させた状態でロック部材として機能するため、画像読取装置の輸送時に光源ユニットががたつくような不都合の発生が防止される。
【発明の効果】
【００１９】
請求項１記載の発明によれば、操作部材によるワンタッチ操作で位置決め部材およびロック部材にそれぞれの読取ユニットをロックするための所定の動作を行わせるようになされているため、製造現場での画像読取装置の出荷に際し、従来のように読取ユニットを筐体に螺子止めするような面倒な操作を行う必要がなくなるばかりか、輸送後の解包時にワンタッチで操作部材を逆操作することにより、読取ユニットのロックを解除することで画像読取装置を直ちに使用可能な状態にすることができ、ユーザーサイドでの初期操作の簡素化に寄与することができる。
【００２０】
すなわち、従来、ユーザーサイドで画像読取装置を場所替え等で移動する場合、ホームポジションに位置設定されている読取ユニットを一旦ロックポジションに位置変更した上で当該読取ユニットを筐体にロックすることが行われるが、ロックポジションへの位置変更は、ユーザーサイドにおいて単独で行うことができず、従って、専門家であるサービスマンを呼び寄せて読取ユニットにロック処理を施すのが一般的であったが、請求項１に係る発明においては、操作部材のワンタッチ操作によりホームポジションに位置した読取ユニットをロックポジションに移動させた上でロックすることができるため、ユーザーサイドで一々サービスマンを呼び寄せる必要がなくなり、その分、読取ユニットのロック処理の迅速化が実現するとともに、メーカサイドとしてはサービスマンの派遣頻度が減少し、その分人件費の削減に貢献することができる。
【００２１】
請求項２記載の発明によれば、位置決め部材として読取部材を固定位置に引き寄せる引寄せアームを採用するとともに、ロック部材として筐体と読取ユニットとを読取ユニットの移動方向と交差する方向に向けて貫通するロックピンを採用することにより、読取ユニットを筐体に固定するための位置決め部材とロック部材とを備えた固定手段の構造を簡単なものとした上で、両者を連係動作させることによりワンタッチ操作で読取ユニットを筐体に容易に固定させることができる。
【００２２】
請求項３記載の発明によれば、操作部材の操作片は、筐体が所定の外装カバー（例えば画像読取装置が適用される画像形成装置に設けられた筐体を覆うカバー）に覆われた状態であっても、当該外装カバーから外部に突出した状態になっているため、外装カバーを筐体から一々取り外さなくても外装カバーの外側から操作片を操作することができ、画像読取装置の出荷時や使用時の初期の作業の作業性を向上させることができる。
【００２３】
請求項４記載の発明によれば、固定手段がロックユニットとしてユニット化されているため、固定手段が設けられていない画像読取装置にユニット化されたロックユニットをオプション的に追加で付加することができ、画像読取装置について固定手段有無の選択性を向上させることができる。
【００２４】
請求項５記載の発明によれば、位置決め部材は、操作部材の操作で光源ユニットを固定位置に移動させた状態でロック部材として機能するため、画像読取装置の輸送時に光源ユニットががたつくような不都合の発生を確実に防止することができる。
【発明を実施するための最良の形態】
【００２５】
まず、本発明に係る画像読取装置が適用された画像形成装置について説明する。図１は、本発明に係る画像読取装置が適用された画像形成装置の一実施形態の概要を示す説明図である。図１に示すように、画像形成装置１０は、複写機として使用されるものであり、胴内排紙型と称される箱形を呈した装置本体１１と、この装置本体１１の上部に設けられた、原稿画像を読み取る画像読取部１６とを備えた基本構成を有している。本発明に係る画像読取装置２０は、画像読取部１６内に装着されている。
【００２６】
前記装置本体１１には、画像読取部１６の画像読取装置２０によって読み取られた原稿の画像情報に基づき画像を形成する画像形成部１２と、この画像形成部１２によって形成され、用紙に転写された画像に定着処理を施す定着部１３と、転写用の用紙を貯留する用紙貯留部１４とが内装されている。装置本体１１の頂部には、排出された定着処理後の用紙Ｐを受ける胴内排紙トレイ１５１を備えた排紙部１５が設けられている。
【００２７】
前記画像読取部１６は、その上面に開閉可能に設けられた原稿押えカバー１６１を有し、画像読取装置２０の上面開口に装着されたコンタクトガラス３１上に載置された原稿が原稿押えカバー１６１によって押さえられた状態で、コンタクトガラス３１を介してその原稿面の画像を読み取るようになっている。前記原稿押えカバー１６１は、装置本体上面の一側辺に設けられた所定の軸回りに正逆回動して開閉可能になっている。画像読取部１６で読み取られた原稿の画像情報は、所定の処理が施されたいぇで画像形成部１２へ向けて出力されるようになっている。
【００２８】
かかる画像読取部１６の適所には、原稿読み取りや複写処理等に関する処理条件を入力操作するための図略の操作パネルが設けられている。この操作パネルには、図略の表示パネルやテンキー、さらにはスタートボタン、モード切換えキー等が設けられている。
【００２９】
前記画像形成部１２は、用紙貯留部１４から給紙された用紙にトナー画像を形成させるものであり、本実施形態では、上流側（図１の紙面の右側）から下流側へ向けて順次配設されたマゼンタ用ユニット１２Ｍと、シアン用ユニット１２Ｃと、イエロー用ユニット１２Ｙと、ブラック用ユニット１２Ｋとが備えられている。
【００３０】
各ユニット１２Ｍ，１２Ｃ，１２Ｙ，１２Ｋには、感光体ドラム１２１および現像装置１２２がそれぞれ備えられている。各感光体ドラム１２１は、図１において反時計方向へ向けて回転しつつ対応した現像装置１２２からトナーの供給を受けるようになっている。各現像装置１２２には、装置本体１１の前面側（図１の紙面の表側）に配設された図略のトナーカートリッジからトナーが補給されるようになっている。
【００３１】
各感光体ドラム１２１の直下位置には帯電器１２３がそれぞれ設けられているとともに、各帯電器１２３のさらに下方位置には露光装置１２４が設けられている。そして、各感光体ドラム１２１は、前記帯電器１２３によって周面が一様に帯電され、画像読取部１６で入力された画像データに基づく各色に対応したレーザー光が前記各露光装置１２４から帯電後の感光体ドラム１２１の周面に照射されることにより、各感光体ドラム１２１の周面に静電潜像が形成されるようになっている。かかる静電潜像に現像装置１２２からトナーが供給されることにより、感光体ドラム１２１の周面にトナー像が形成される。
【００３２】
感光体ドラム１２１の上方位置には、当該各感光体ドラム１２１に当接するように駆動ローラ１２５ａおよび従動ローラ１２５ｂ間に張設された転写ベルト１２５が設けられている。この転写ベルト１２５は、各感光体ドラム１２１に対応して設けられた転写ローラ１２５ｃによって感光体ドラム１２１の周面に押し付けられた状態で各感光体ドラム１２１と同期しながら駆動ローラと従動ローラとの間を周回するようになっている。
【００３３】
従って、転写ベルト１２５が周回することによりその表面に対しマゼンタ用ユニット１２Ｍの感光体ドラム１２１によるマゼンタのトナー像の転写が行なわれ、ついで転写ベルト１２５の同一位置にシアン用ユニット１２Ｃの感光体ドラム１２１によるシアンのトナー像の転写が重ね塗り状態で行なわれ、ついで転写ベルト１２５の同一位置にイエロー用ユニット１２Ｙの感光体ドラム１２１によるイエローのトナー像の転写が重ね塗り状態で行なわれ、最後のブラック用ユニット１２Ｋの感光体ドラム１２１によるブラックのトナー像の転写が重ね塗り状態で行なわれ、これによって転写ベルト１２５の表面にカラーのトナー像が形成される。この転写ベルト１２５の表面に形成されたカラーのトナー像が用紙貯留部１４から搬送されてきた用紙Ｐに転写されることになる。
【００３４】
そして、各感光体ドラム１２１の図１における左方位置には当該感光体ドラム１２１の周面の残留トナーを除去して清浄化するクリーニング装置１２６が設けられている。クリーニング装置１２６によって清浄化処理された感光体ドラム１２１の周面は、新たな帯電処理のために帯電器１２３へ向かうことになる。
【００３５】
クリーニング装置１２６で感光体ドラム１２１の周面から取り除かれた廃トナーは、所定の経路を通って図略のトナー回収ボトルに回収され、貯留されるようになっている。
【００３６】
画像形成部１２の図１における左方位置には、上下方向に延びる用紙搬送路１１１が形成されている。この用紙搬送路１１１には、適所に搬送ローラ対１１２が設けられ、用紙貯留部１４からの用紙がこの搬送ローラ対１１２の駆動で駆動ローラ１２５ａに掛け回されている転写ベルト１２５へ向けて搬送されるようになっている。かかる用紙搬送路１１１には、駆動ローラ１２５ａと対向した位置に転写ベルト１２５の表面と当接した第２転写ローラ１１３が設けられ、用紙搬送路１１１を搬送されつつある用紙Ｐが転写ベルト１２５と第２転写ローラ１１３とに押圧挟持されることによって転写ベルト１２５上のトナー像が当該用紙Ｐに転写されるようになっている。
【００３７】
そして、転写ベルト１２５の図１における右端部には、当該転写ベルト１２５の表面に残留した残留トナーを除去する図略の転写ベルト用クリーニング装置が設けられ、用紙Ｐへの転写処理が完了した転写ベルト１２５は、表面の残留トナーがこの転写ベルト用クリーニング装置によって取り除かれ清浄化された状態で次の転写処理へ向けて周回されるようになっている。
【００３８】
前記定着部１３は、画像形成部１２で転写された用紙上のトナー像に対し定着処理を施すものであり、内部に加熱源である通電発熱体を備えた定着ローラ１３１と、図１における左方でこの定着ローラ１３１と対向配置された加圧ローラ１３２とを備えて構成されている。そして、帯電器１２３を介して画像形成部１２から導出された転写処理済の用紙Ｐは、これら定着ローラ１３１および加圧ローラ１３２間に押圧挟持されつつ定着ローラ１３１により加熱される熱処理でトナー画像が定着され、用紙上に安定した状態のカラー画像が形成されるようになっている。
【００３９】
定着処理の完了したカラー印刷済みの用紙Ｐは、定着部１３の上部から延設された排紙搬送路１１４を通って装置本体１１に設けられた胴内排紙トレイ１５１へ向けて排出されることになる。
【００４０】
前記用紙貯留部１４は、装置本体１１における露光装置１２４の下方位置に挿脱自在に装着された用紙トレイ１４１を有している。用紙トレイ１４１には用紙束が貯留されるようになっている。そして、用紙トレイ１４１に貯留された用紙束からピックアップローラ１４２の駆動で用紙Ｐが１枚ずつ繰り出され、用紙搬送路１１１を通って画像形成部１２へ導入されるようになっている。
【００４１】
前記画像読取装置２０は、箱形を呈した筐体３０と、この筐体３０に図１における左右方向に向けて正逆移動可能に内装され、かつ、原稿面に光を照射してその反射光を得る読取ユニット４０と、この読取ユニット４０からの反射光を集光して画像データとして取り込むＣＣＤユニット５０と、画像読取装置２０の出荷時や取り替え時の梱包に際して前記読取ユニット４０を筐体３０に固定するためのロックユニット（固定手段）６０とを備えた基本構成を有している。
【００４２】
前記筐体３０は、画像読取部１６の外装枠体に沿って収納され得るように外観形状が設定されている。かかる筐体３０の上面中央部には、矩形状を呈した大きな開口が設けられ、この開口に原稿を載置するためのコンタクトガラス３１が嵌め込まれている。このコンタクトガラス３１は、画像読取装置２０が画像読取部１６内に装着された状態で画像読取部１６の外装枠体の上面に設けられた開口に臨むように設置位置が設定されている。
【００４３】
前記読取ユニット４０は、図１における左端部から若干右方に寄った位置（ホームポジション）を起点として右方に向けて往動することによりコンタクトガラス３１上に載置された原稿の原稿面を走査した後に復動してホームポジションに戻るようになっている。このような読取ユニット４０は、原稿面に向けて光を照射する光源ユニット４１と、この光源ユニット４１からの光の原稿面での反射光をミラーユニット４２とを備えて構成されている。
【００４４】
前記光源ユニット４１は、読取ユニット４０の移動方向と直交する水平方向に延びた長尺の光源ランプ４１１と、この光源ランプ４１１を焦点位置とした状態で光源ランプ４１１の下部に平行に設けられた長尺の凹面鏡４１２と、前記光源ランプ４１１からの光の原稿画面からの反射光を図１における左方に向けて反射させる第１ミラー４１３とを備えている。
【００４５】
前記ミラーユニット４２は、光源ユニット４１の図１における左方に設けられ、上端位置が光源ユニット４１の上端位置と略同一レベルに設定されている一方、下端位置が光源ユニット４１の下端位置より下方に突出して上下方向に長尺に設定されている。かかるミラーユニット４２は、前記第１ミラー４１３が反射した光を下方に向けて反射する第２ミラー４２２と、この第２ミラー４２２の下方で対向配置され当該第２ミラー４２２が反射した光を図１における右方に向けて反射する第３ミラー４２２とを備えている。
【００４６】
そして、第３ミラー４２２が反射した光は、ＣＣＤユニット５０に入力され、ここで光の信号が電気信号に変換された上で電気信号のアナログ量が画像情報としてのディジタル量に変換されるようになっている。
【００４７】
前記光源ユニット４１とミラーユニット４２とは、図略の駆動手段の駆動によって互いに連係しながら異なる移動速度で移動するようになっている。具体的には、光源ユニット４１は、ミラーユニット４２の２倍の速度で移動し、読取ユニット４０が図１に実線で示すホームポジションに位置している状態でも、図１に二点鎖線で示す任意の位置に移動した状態でも、第１ミラー４１３から第２ミラー４２１および第３ミラー４２２を介してＣＣＤユニット５０へ到達する光路の距離は一定とされ、これによって読取ユニット４０がいずれの位置に位置した状態でも原稿面からの反射光が同一条件でＣＣＤユニット５０へ入力されるようになっている。
【００４８】
前記ＣＣＤユニット５０は、複数枚のレンズが組み合わされて形成したレンズユニット５１と、このレンズユニット５１の図１における右方位置に対向配置されたイメージセンサとして機能するＣＣＤ（ｃｈａｒｇｅ  ｃｏｕｐｌｅｄ  ｄｅｖｉｃｅ）５２とを備えて構成されている。前記レンズユニット５１は、光源ランプ４１１からの光の反射光を集光するためのものであり、前記ＣＣＤ５２は、レンズユニット５１から入力された光の強弱をディジタル量としての電気信号に変換するものである。
【００４９】
そして、ＣＣＤ５２でディジタル量に変換された原稿の画像情報は、一旦所定の記憶装置に記憶された後、前記画像形成部１２の露光装置１２４へ向けて出力され、露光装置１２４は、このディジタル情報に基づき感光体ドラム１２１へ向けて原稿画像に対応した強弱を有する光を照射するようになっている。
【００５０】
前記ロックユニット６０は、画像読取装置２０の製造工場から当該画像読取装置２０を出荷するときに、読取ユニット４０を筐体３０内のホームポジションからさらに図１における左方に移動させてその左端を筐体３０の左端に近づけた状態で、当該読取ユニット４０を動かないようにロックするものである。以下、かかるロックユニット６０について図２〜図７を基に詳細に説明する。
【００５１】
まず図２は、画像読取装置２０の一実施形態を概念的に示す一部切り欠き斜視図であり、ロック位置に位置設定された読取ユニット４０がロックユニット６０によりロックされた状態を示している。なお、図２において、Ｘ−Ｘ方向を左右方向、Ｙ−Ｙ方向を前後方向といい、特に−Ｘ方向を左方、＋Ｘ方向を右方、−Ｙ方向を前方、＋Ｙ方向を後方という。
【００５２】
図２に示すように、画像読取装置２０は、有底の扁平な箱形を呈した前記筐体３０内に前記読取ユニット４０およびＣＣＤユニット５０が内装されとともに、ロックユニット６０が外装されることによって構成されている。筐体３０の天板には、大きな矩形状を呈する開口が設けられ、この開口にコンタクトガラス３１が嵌め込まれている。
【００５３】
前記読取ユニット４０は、ホームポジションが筐体３０内におけるコンタクトガラス３１直下の左方位置に設定され、ここを起点として右方へ向かって往復動するとともに、ロックされるときは、図２に示すように、ホームポジションより左方に寄せられるようになっている。
【００５４】
前記ＣＣＤユニット５０は、筐体３０の底板の右部に据え付けられ、読取ユニット４０の内の光源ユニット４１が筐体３０内の右端部にまで移動しても干渉しないように扁平に形成されている。因みに、読取ユニット４０の内のミラーユニット４２については、第３ミラー４２２（図１）が水平方向でＣＣＤユニット５０と対向しなければならない関係上、下端部が光源ユニット４１より下方に突出している。
【００５５】
前記ロックユニット６０は、筐体３０の左方板３２の外面側に装着され、読取ユニット４０をロック位置（固定位置）に引き寄せた状態で当該読取ユニット４０をロックするように構成されている。読取ユニット４０を引き寄せるために、光源ユニット４１の左方フレーム４３（図２）には中央部に係合孔４４１の穿設された係合突片４４が左方に向かって突設され、ロックユニット６０の後述する引寄せアーム６８がこの係合突片４４を左方に向かって引き寄せることにより、ホームポジションに位置していた読取ユニット４０がロック位置へ向けて移動するようになっている。
【００５６】
そして、ロック位置に位置設定された読取ユニット４０をロックユニット６０がロックするために、ミラーユニット４２を支持するフレーム４５には、前後方向の両端部から左方に向けて突設された一対の被ロック突条４６が設けられている。各被ロック突条４６には、ロックユニット６０の後述するロックピン６３を貫通させるための係合孔４７がそれぞれ穿設されている。
【００５７】
なお、筐体３０左方板３２には、前記係合突片４４および被ロック突条４６を外部に突出させるための前後方向の略全長に亘って開口された長尺開口３３が設けられている。
【００５８】
図３は、ロックユニット６０の一実施形態を示す分解斜視図である。また、図４〜図６は、その組み立て斜視図であり、図４は、左面側から見た図、図５および図６は、右面側から見た図である。そして、特に図５は、読取ユニット４０の被ロック突条４６に上昇したロックピン６３が貫通することにより読取ユニット４０がロックされた状態、図６は、ロックピン６３が下降した状態をそれぞれ示している。なお、図３〜図６におけるＸおよびＹによる方向表示は、図２の場合と同様（Ｘは左右方向（−Ｘ：左方、＋Ｘ：右方）、Ｙは前後方向（−Ｙ：前方、＋Ｙ：後方））である。
【００５９】
これらの図に示すように、ロックユニット６０は、筐体３０の左方板３２に固定される、側面視でΩ条を呈した前後方向に長尺のハウジング６１と、このハウジング６１に前後方向に向けて正逆スライド移動可能に装着される前後方向に長尺のスライド体６２と、前記ハウジング６１の両端部に昇降自在に装着されるロックピン（ロック部材）６３と、前記スライド体６２の両端部に前記ロックピン６３と対応するように設けられた前後一対のカム部材６４と、前記ハウジング６１に設けられスライド体６２の後方へ向かう移動によって読取ユニット４０をロック位置に引き寄せる引寄せ機構６５とを備えて構成されている。
【００６０】
前記ロックピン６３は、読取ユニット４０（図２）がロック位置に位置設定された状態で、筐体３０の長尺開口３３から左方に向けて突出した被ロック突条４６の係合孔４７に差し通されるものであり、これによって読取ユニット４０はロック位置でロックされた状態になる。
【００６１】
前記ハウジング６１は、前後方向に長尺の外方板６１１と、この外方板６１１の下縁部から右方に向けて突設された前後方向に長尺の底板６１２と、前記外方板６１１の上縁部から右方に向けて突設された前後方向に長尺の天板６１３とを備えて構成され、これら外方板６１１、底板６１２および天板６１３に囲繞された空間によってスライド体６２を前後動可能に装着する装着空間Ｖが形成されている。
【００６２】
前記底板６１２の右縁部からは下部当接板６１４が垂下されているとともに、長尺の天板６１３の右縁部からは上部当接板６１５が立設され、これら上下の当接板６１５，６１４が筐体３０の左方板３２にねじ止めあるいは溶接止めで固定されることにより、ハウジング６１が筐体３０に装着されるようになっている。
【００６３】
また、前記長尺の天板６１３の両端部には、各ロックピン６３を貫通させるための貫通孔６１６がそれぞれ穿設されている。なお、本実施形態においては、これらの貫通孔６１６に貫通した各ロックピン６３の昇降動作を安定させるために、天板６１３の左縁部にＬ字形状を呈した一対のＬ字金具６１７が溶接止めその他によって固定されている。かかるＬ字金具６１７の水平板６１７ａには、ロックピン６３を貫通させるための貫通孔６１７ｂが穿設され、ロックピン６３は、上下でＬ字金具６１７の貫通孔６１７ｂおよび天板６１３の貫通孔６１６に差し通されることにより、安定した状態で昇降し得るようになっている。
【００６４】
また、底板６１２の右方位置には、当該底板６１２が切り起こされることによって形成した前後一対の切起し片６１８が設けられている。これによって装着空間Ｖに装着されたスライド体６２は、これら一対の切起し片６１８と外方板６１１とに摺接状態で挟持され、これによって装着空間Ｖ内で安定して前後動し得るようになっている。
【００６５】
前記スライド体６２は、ハウジング６１と略同一の長さ寸法を備えた底板６２１と、この底板６２１の左縁部から立設された左側板６２２と、同右縁部が上方に向けて折り返されることによって形成した折返し縁６２３とを備えている。左側板６２２は、上下寸法がハウジング６１の装着空間Ｖの上下寸法より若干短めに寸法設定されているとともに、折返し縁６２３は、上下寸法がハウジング６１の切起し片６１８の上下内寸法（切起し片６１８上端の折返し端内面と底板６１２の上面との間の距離）より短く寸法設定され、これによってスライド体６２は、右方への抜止め状態で前後動可能に装着空間Ｖに装着されるようになっている。
【００６６】
前記カム部材６４は、本実施形態においては、所定の硬質の合成樹脂材料によって形成されている。かかるカム部材６４は、前記ローラ６３に対向した状態でスライド体６２の底板６２１の両端部にそれぞれ固定されている。これら一対のカム部材６４間の距離は、ハウジング６１に装着された一対のロックピン６３間の距離と同一に設定されている。このようなカム部材６４は、前端面が垂直面で後面に傾斜面６４１ａが形成された側面視で台形状を呈するカム本体６４１と、このカム本体６４１の後縁部から固方へ向けて若干突設された裾野板６４２とを備えている。そして、カム本体６４１の傾斜面６４１ａおよび裾野板６４２の上面の左右方向中央部には、前記ロックピン６３の下端部に対応して凹設された前後方向に延びるガイド溝６４３が設けられている。
【００６７】
従って、カム部材６４がハウジング６１の天板６１３の貫通孔６１６と対向するようにスライド体６２をハウジング６１の装着空間Ｖに装着した状態で、ロックピン６３をＬ字金具６１７の貫通孔６１７ｂおよび天板６１３の貫通孔６１６に差し通すことにより、当該ロックピン６３の下端がガイド溝６４３に嵌り込んだ状態になる。この状態でスライド体６２を後方へ向けて移動させることによりカム部材６４が後方へ向けて移動すると、ガイド溝６４３に嵌り込んでいるロックピン６３は、傾斜面６４１ａの上り傾斜に誘導されて上方位置にまで上昇する一方、スライド体６２を前方へ向けて移動させることよりカム部材６４が前方へ向けて移動すると、ロックピン６３は、傾斜面６４１ａの下り傾斜に案内されて元の下方位置にまで下降することになる。
【００６８】
そして、スライド体６２が後方へ移動されることによるロックピン６３の上昇で当該ロックピン６３の上部が読取ユニット４０の被ロック突条４６に穿設された係合孔４７に係合し、これによって読取ユニット４０がロックされる一方、スライド体６２が前方へ移動されることによるロックピン６３の下降で前記ロックが解除されるようになっている。
【００６９】
そして、本実施形態においては、スライド体６２の移動を操作するために、左側板６２２の前方位置に操作部材６９が取り付けられている。この操作部材６９は、側面視で前方に斜辺を有する略直角三角形状を呈した装着板６９１と、この装着板６９１の後方縁部から左方に向かって延設されることによって形成した矩形状を呈する操作レバー（操作片）６９２と、装着板６９１の下縁部から右方に向かって延設されることによって形成した底片６９３とからなっている。
【００７０】
装着板６９１の上部および底片６９３の前部にはそれぞれ係止孔６９４が穿設されている一方、スライド体６２の左側板６２２には装着板６９１の係止孔６９４に対応した位置にねじ孔６２２ａが螺設されているとともに、スライド体６２の底板６２１の前部には、前記底片６９３の係止孔６９４に対応した位置に下方に向かって切り起こされた切起し片６２１ａが設けられている。そして、装着板６９１の係止孔６９４を通して図略の螺子がねじ孔６２２ａに螺着されるとともに、切起し片６２１ａの下端が底片６９３の係止孔６９４に差し込まれることにより、操作部材６９がスライド体６２に確実に固定されるようになっている。
【００７１】
かかる操作部材６９がスライド体６２に取り付けられることにより、操作レバー６９２を指で把持して前後に操作することでスライド体６２を前後に向けて容易に移動させることができる。そして、操作レバー６９２の左右方向の長さ寸法は、画像読取部１６において画像読取装置２０が内装される画像読取装置２０が外装カバー１６０内に装着された状態で、当該外装カバー１６０外部に突出し得るように設定されている（図１参照）。これによってたとえ画像読取装置２０が外装カバー１６０から取り出されていない状態であっても操作レバー６９２を操作することができるようになっている。
【００７２】
前記引寄せ機構６５は、ハウジング６１の外方板６１１の外面側（左面側）にねじ止めまたは溶接止めで固定される前後方向一対のブラケット６６と、これら一対のブラケット６６に軸心回りに回転可能に支持された架設軸６７と、この架設軸６７の軸心回りの回転により略直立した引寄せ姿勢と略水平方向に延びた解除姿勢との間で姿勢変更する引寄せアーム（位置決め部材）６８と、スライド体６２の正逆移動に連係して前記架設軸６７を正逆回動させることにより引寄せアーム６８に姿勢変更を行わせる引寄せアーム回動構造７０とを備えて構成されている。
【００７３】
前記ブラケット６６は、ハウジング６１の外方板６１１の前後方向中央位置より前側に所定距離だけ離間してそれぞれねじ止めその他で固定されている。かかるブラケット６６は、外方板６１１にこていされる垂直板６６１と、この垂直板６６１の下半分の位置の前縁部または後縁部から右方に向かって突設される軸受け板６６２と、軸受け板６６２の下縁部から右方に向かって突設された接続板６６３とを備えている。
【００７４】
接続板６６３は、ロックユニット６０を画像読取装置２０の筐体３０に装着するに際し、ねじ止めその他でその右端部を筐体３０の左方板３２（図２）に固定するためのものである。また、軸受け板６６２は、前記架設軸６７を貫通状態で軸心回りに回転可能に軸支するためのものである。
【００７５】
前記架設軸６７には、一対の軸受け板６６２に貫通架設された状態で、後方の軸受け板６６２の直ぐ前方位置に同心で一体回転可能にセクトギヤ６７１が外嵌されているとともに、後方の軸受け板６６２の直ぐ後方位置に一体回転可能に上方に向けて突出したクランク片６７２が設けられている。前記セクトギヤ６７１のギヤ面は右方に向いている。
【００７６】
前記クランク片６７２の上端部と、前記外方板６１１の前後方向中央部との間にはコイルスプリング６７３が伸長状態で張設され、これによって架設軸６７は、軸心回りに図３における反時計方向に付勢された状態になっている。
【００７７】
前記引寄せアーム６８は、解除姿勢から引寄せ姿勢に姿勢変更されるに際し、ホームポジションに位置した読取ユニット４０をロック位置に引き寄せるためのものであり、直状アーム６８１と、この直状アーム６８１の先端側（図３における右端側）から図３における反時計方向に向けて突設された係合片６８２と、同基端側に前後方向に延びるように一体回転可能に貫設されたアーム軸６８３と、直状アーム６８１の前方でこのアーム軸６８３に同心で一体回転可能に外嵌されたアームギヤ６８４とを備えている。
【００７８】
一方、後方のブラケット６６の軸受け板６６２には、セクトギヤ６７１の若干右側上方位置に前記アーム軸６８３を摺接状態で貫通させる軸孔６６２ａが穿設され、引寄せアーム６８は、アーム軸６８３が前方からこの軸孔６６２ａに嵌入されることによりアーム軸６８３回りに正逆回動し得るようになっている。
【００７９】
また、前記アームギヤ６８４は、アーム軸６８３が軸孔６６２ａに嵌入された状態で前記セクトギヤ６７１に噛合するように径寸法が設定されている。従って、架設軸６７の軸心回りの正逆回転でセクトギヤ６７１が架設軸６７回りに一体回転すると、このセクトギヤ６７１に噛合しているアームギヤ６８４が正逆回転し、これによって引寄せアーム６８が解除姿勢と引寄せ姿勢との間で姿勢変更するようになっている。
【００８０】
そして、前記直状アーム６８１は、読取ユニット４０がホームポジションに位置設定された状態で解除姿勢に姿勢設定された当該直状アーム６８１をアーム軸６８３回りに図３における反時計方向に回動させることにより、係合片６８２が読取ユニット４０の係合突片４４の係合孔４４１（図２）に係合し得るように長さ寸法が設定されている。
【００８１】
従って、読取ユニット４０がホームポジションに位置設定された状態で、コイルスプリング６７３の付勢力に抗して架設軸６７を軸心回りに図３における時計方向に回動させることにより、セクトギヤ６７１が同方向に回動し、これによってこのセクトギヤ６７１と噛合しているアームギヤ６８４がアーム軸６８３回りに反時計方向に向けて回動するため、解除姿勢に姿勢設定されていた引寄せアーム６８が起き上がって引寄せ姿勢に向けて姿勢変更し、この姿勢変更の途中で係合片６８２が係合突片４４の係合孔４４１に係合してホームポジションに位置している読取ユニット４０をロック位置にまで引き寄せることになる。
【００８２】
逆に読取ユニット４０がロック位置に位置した状態で、架設軸６７がコイルスプリング６７３の付勢力により反時計方向に回動すると、引寄せアーム６８はアーム軸６８３回りに時計方向に回動し、これによって係合片６８２の係合突片４４に対する係合が解除されるため、読取ユニット４０はホームポジションに戻ることになる。
【００８３】
図７は、引寄せアーム回動構造７０を説明するための拡大斜視図であり、（イ）は、スライド体６２が前方位置Ｓ１に位置設定された状態、（ロ）は、スライド体６２が前方位置Ｓ１から後方位置Ｓ２へ向けて位置変更しつつある状態、（ハ）は、スライド体６２が後方位置Ｓ２に位置設定された状態をそれぞれ示している。なお、図７におけるＸおよびＹによる方向表示は、図２の場合と同様（（Ｘは幅方向（−Ｘ：左方、＋Ｘ：右方）、Ｙは前後方向（−Ｙ：前方、＋Ｙ：後方））である。
【００８４】
前記引寄せアーム回動構造７０は、スライド体６２との連動で架設軸６７を軸心回りに正逆回転させ、これによって引寄せアーム６８を解除姿勢と引寄せ姿勢との間で姿勢変更させるものである。かかる引寄せアーム回動構造７０は、図７に示すように、スライド体６２の底板６２１の前端右方に形成されたガイド板体７１と、このガイド板体７１に干渉するように架設軸６７の前端に固定された被操作杆７２とを備えて構成されている。
【００８５】
前記ガイド板体７１は、正面視で１段半の葛折り（ジグザグ）状に形成され、底板６２１の右端縁から右方に向かって突設された前後方向に延びる葛板体７１１と、この葛板体７１１の下縁部から右方に向けて若干先下がりに傾斜して突設された前後方向に延びる操作条７１２とからなっている。
【００８６】
前記操作条７１２は、葛板体７１１の前端部から後方に向かって所定長（具体的には葛板体７１１の前単位置からカム部材６４の傾斜面６４１ａの下縁部位置までの間）水平に延ばされた前方操作条７１３と、この前方操作条７１３の後端縁から後方に向かって先下がりに傾斜した中間操作条７１４と、この中間操作条７１４の後端縁から後方に向かって水平に延ばされた後方操作条７１５とからなっている。
【００８７】
前記被操作杆７２は、架設軸６７の前端に一体回動可能に外嵌された小径円盤７２１と、この小径円盤７２１の下方周縁から前記操作条７１２と平行に前方に向かって突設された突設条７２２と、この突設条７２２の前方右縁部から上方に向かって突設された前後方向に延びる中間条７２３と、この中間条７２３の前端上縁部から左方に向かって突設された干渉片７２４とを備えている。かかる被操作杆７２は、突設条７２２が操作条７１２より長尺に設定されているとともに、スライド体６２が前方位置Ｓ１に位置設定された状態で、干渉片７２４がガイド板体７１の後方操作条７１５の直上位置に位置するようにガイド板体７１との間で相対的な位置関係が設定されている。
【００８８】
このように構成された引寄せアーム回動構造７０によれば、スライド体６２が前方位置Ｓ１に位置設定された状態では、被操作杆７２の干渉片７２４は、図７の（イ）に示すように、後方操作条７１５の上面と当接している。この状態で、スライド体６２を後方に向かって移動させていくと、図７の（ロ）に示すように、後方操作条７１５が干渉片７２４と干渉し、これによって干渉片７２４が上方に跳ね上げられることから、架設軸６７が中間条７２３および突設条７２２を介して軸心回りに図７における時計方向へ向けた回動を開始する。この回動の開始によって架設軸６７と一体のセクトギヤ６７１に噛合している引寄せアーム６８のアームギヤ６８４（図５）がアーム軸６８３回りに反時計方向に回動し始めるため、解除姿勢に姿勢設定されていた引寄せアーム６８が引寄せ姿勢に向けて姿勢変更を開始することになる。
【００８９】
スライド体６２の後方に向かう移動が継続されることにより、干渉片７２４は、略９０°の回動が完了した後に後方操作条７１５との当接状態が解消され、前方操作条７１３と当接した状態になる。この状態では、引寄せアーム６８の係合片６８２が読取ユニット４０の係合突片４４に係合して当該読取ユニット４０をロック位置にまで引き寄せてロックピン６３が被ロック突条４６の係合孔４７に係合し得るように位置決めしている。一旦読取ユニット４０がロック位置にまで引き寄せられてしまうと、その後にスライド体６２が後方に移動しても干渉片７２４が前方操作条７１３の上面をスライドするだけであるため、架設軸６７が回動することはない。
【００９０】
そして、スライド体６２が後方位置Ｓ２にまで移動すると、図７の（ハ）に示すように、干渉片７２４が前方操作条７１３の前端部に位置した状態になる。この状態では、ロックピン６３がカム部材６４に案内されて上昇して読取ユニット４０の被ロック突条４６の係合孔４７（図２）に嵌り込むため、読取ユニット４０はロック位置に位置してその移動がロックされた状態になる。
【００９１】
以下図８を基に、必要に応じて図１〜図７を参照しながら本発明のロックピン６３および引寄せアーム６８を備えてなる固定手段の作用について説明する。図８は、ロックユニット６０の作用を説明するための説明図であり、（イ）は、引寄せアーム６８が解除姿勢に姿勢設定されているとともに、ロックピン６３が下方位置に位置設定された状態、（ロ）は、引寄せアーム６８が引寄せ姿勢に姿勢設定されているとともに、ロックピン６３が下方位置に位置設定された状態をそれぞれ示している。なお、図８において（イ）および（ロ）の後に付けられた添え字の「ａ」は、ロックユニット６０を前方から見た図であり、同添え字の「ｂ」は、ロックユニット６０を右方から見た図である。
【００９２】
まず、図８の（イ）に示すように、ロックピン６３がガイド板体７１の裾野板６４２（図８の（イ）−「ｂ」）に支持されることにより下方位置に位置設定された状態では、操作部材６９の操作で当該ロックピン６３と連動する引寄せアーム６８が解除姿勢に姿勢設定されている。
【００９３】
この状態で操作部材６９の操作レバー６９２を後方（図８の（イ）−「ａ」における紙面の裏側および図８の（ロ）−「ｂ」における紙面の右側）に向けて操作すると、スライド体６２と一体のガイド板体７１が後方に向けて移動するため、このガイド板体７１に連係されている被操作杆７２の干渉片７２４がガイド板体７１の操作条７１２に操作され（この操作条７１２による操作については先に図７を基に詳細に説明しているので、ここでの説明は省略する）、これによる被操作杆７２の図８の（イ）−「ａ」における架設軸６７の軸心回りの時計方向への一体回転によってセクトギヤ６７１が架設軸６７回りに時計方向に向けて一体回転する。
【００９４】
従って、この架設軸６７と噛合しているアームギヤ６８４がアーム軸６８３回りに反時計方向に向けて回動し、これによって解除姿勢に姿勢設定されていた当該アームギヤ６８４と一体の直状アーム６８１がアーム軸６８３回りに反時計方向に向けて回動して引寄せ姿勢へ向けて姿勢変更することになる。
【００９５】
そして、この姿勢変更時に直状アーム６８１の先端の係合片６８２が読取ユニット４０の係合突片４４の係合孔４４１に係合し、引寄せアーム６８の回動継続によって係合片６８２が当該係合突片４４を左方に向けて引き寄せるため、ホームポジションに位置していた読取ユニット４０は、図８の（ロ）−「ａ」に示すように、ロック位置に位置設定される。
【００９６】
一方、操作部材６９の後方へ向かう操作により読取ユニット４０がロック位置に引き寄せられるのと同期してスライド体６２が、図８の（イ）−「ｂ」に示す状態を起点として後方に向けて移動することにより、スライド体６２と一体のカム部材６４も後方に向けて移動する。この移動によってロックピン６３は、カム部材６４の傾斜面６４１ａを上昇していくことになる。そして、操作部材６９が予め設定された最大量操作されると、ロックピン６３は、カム部材６４のカム本体６４１の頂部に到達するとともに、その上端が、図８の（ロ）に示すように、読取ユニット４０の被ロック突条４６に穿設された係合孔４７に嵌り込み、これによって読取ユニット４０は、筐体３０内でロックユニット６０によりロックされた状態になる。
【００９７】
一旦動かないようにロックされた読取ユニット４０のロックを解除するには、操作部材６９を前方（図８の（ロ）−「ｂ」の左方）に向けて操作すればよい。こうすることによって、まず、ロックピン６３が下降して被ロック突条４６の係合孔４７から外れ、引き続き引寄せアーム６８がコイルスプリング６７３の付勢力によってアーム軸６８３回りに時計方向に回動するため、引寄せアーム６８の係合片６８２が読取ユニット４０の係合突片４４の係合孔４４１から外れ、これによって読取ユニット４０はホームポジションに戻ることになる。
【００９８】
以上詳述したように、本発明に係る画像読取装置２０は、例えば画像形成装置１０のコンタクトガラス３１に載置された原稿の画像を読み取ためのものであり、箱形を呈した筐体３０と、原稿画像に光を照射する光源ランプ４１１を備えた光源ユニット４１および光源ランプ４１１の原稿画像からの反射光を所定のＣＣＤユニット５０に入光させることにより原稿画像を読み取る筐体３０内で移動可能な読取ユニット４０と、この読取ユニット４０を筐体３０に固定する固定手段とが備えられ、固定手段は、読取ユニット４０が固定されるべき固定位置の近傍に位置した状態で当該読取ユニット４０を固定位置まで移動させて位置決めする引寄せアーム６８と、この引寄せアーム６８によって位置決めされた読取ユニット４０をロックするロックピン６３と、これら引寄せアーム６８およびロックピン６３にそれぞれの動作をワンタッチ操作で行わせる操作部材６９とを備えている。
【００９９】
かかる構成の画像読取装置２０によれば、光源ランプ４１１からの光を原稿面に照射した状態で読取ユニット４０を筐体３０内で移動させて光で原稿面を走査することにより、原稿面からの反射光がＣＣＤユニット５０に入光され、ＣＣＤ５２によって原稿画像が読み取られることになる。
【０１００】
このような読取ユニット４０が筐体３０内で移動するように構成された画像読取装置２０を例えば製造現場から据え付け現場に向けて輸送するに際し、読取ユニット４０が固定されるべき固定位置の近傍（すなわちホームポジション）に位置した状態で操作部材６９をワンタッチ操作することにより、引寄せアーム６８が当該読取ユニット４０を固定位置まで移動させて位置決めするとともに、ロックピン６３がこの位置決め状態の読取部材を動かないようにロックするため、その後の輸送に際して筐体３０内で読取ユニット４０ががたつくことはない。従って、画像読取装置２０の輸送中に読取ユニット４０ががたついて損傷したり破損したりするような不都合の発生が確実に防止される。
【０１０１】
従って、従来のように読取ユニット４０を筐体３０に螺子止めするような面倒な操作を行う必要がなくなるばかりか、輸送後の解包時にワンタッチで操作部材６９を逆操作することにより、読取ユニット４０のロックを解除することで画像読取装置２０を直ちに使用可能な状態にすることができ、ユーザーサイドでの初期操作の簡素化に寄与することができる。
【０１０２】
そして、位置決め部材としてホームポジションに位置した読取ユニット４０をワンタッチ操作で固定位置に引き寄せる引寄せアーム６８を採用するとともに、ロック部材として引寄せアーム６８が読取ユニット４０を固定位置に引き寄せた状態で筐体３０と読取ユニット４０とを読取ユニット４０の移動方向と交差する方向に向けて貫通するロックピン６３を採用したため、読取ユニット４０を筐体３０に固定するための引寄せアーム６８とロックピン６３とを備えた固定手段の構造を簡単なものとした上で、両者を連係動作させることによりワンタッチ操作で読取ユニット４０を筐体３０に容易に固定させることができる。
【０１０３】
また、操作部材６９の構成要素であるワンタッチ操作を行うための操作レバー６９２は、筐体３０が画像読取部１６において画像読取装置２０を覆うように設けられた外装カバー１６０に覆われた状態で当該外装カバー１６０の外側へ突出するように寸法設定されているため、筐体３０を一々外装カバー１６０から取り外さなくても外装カバー１６０の外側から操作レバー６９２を操作することができ、画像読取装置２０の出荷時や使用時の初期の作業の作業性を向上させることができる。
【０１０４】
そして、本実施形態においては、読取ユニット４０を筐体３０に固定する固定手段がロックユニット６０としてユニット化されているため、固定手段が設けられていない画像読取装置２０にユニット化されたロックユニット６０をオプション的に追加で付加することができ、画像読取装置２０について固定手段有無の選択性を向上させることができる。
【０１０５】
本発明は上記の実施形態に限定されるものではなく、以下の内容をも包含するものである。
【０１０６】
（１）上記の実施形態においては、画像読取装置２０が適用される画像形成装置１０として複写機を例に挙げて説明したが、本発明は、画像読取装置２０の適用される画像形成装置が複写機であることに限定されるものではなく、読み取った画像情報を遠隔地に電送するファクシミリ装置や画像情報を読み取ってコンピュータに入力するスキャナー等にも適用することができる。
【０１０７】
（２）上記の実施形態においては、ロックピン６３や引寄せアーム６８等がユニット化されたロックユニット６０が採用されているが、本発明は、ロックピン６３や引寄せアーム６８等をユニットかすることに限定されるものではなく、筐体３０にロックピン６３やｑ引寄せアーム６８等を直接取り付けるようにしてもよい。
【０１０８】
（３）上記の実施形態においては、コイルスプリング６７３の付勢力をクランク片６７２および架設軸６７を介してセクトギヤ６７１に伝達するようにしているが、こうする代わりにコイルスプリング６７３の付勢力を引寄せアーム６８のアーム軸６８３に直接伝達するようにしてもよい。この場合、上記の実施形態においては、アーム軸６８３から下方に向けて突出させたクランク片にコイルスプリング６７３の端部が接続される。
【０１０９】
（４）上記の実施形態においては、引寄せアーム回動構造７０としてガイド板体７１と被操作杆７２とからなるものが採用されているが、かかる引寄せアーム回動構造７０に代えてスライド体６２の直線運動を架設軸６７の回転運動に変換する、例えば傘歯車やラック、ピニオン等を用いたギヤ機構を採用してもよい。
【０１１０】
（５）上記の実施形態においては、操作部材６９を後方に向けて操作することにより、下方位置に位置したロックピン６３を上方位置に位置変更させるとともに、コイルスプリング６７３の付勢力により解除姿勢に姿勢設定されていた引寄せアーム６８をコイルスプリング６７３の付勢力に抗して引寄せ姿勢に姿勢変更させるようにしているが、こうする代わりに、引寄せアーム６８が引寄せ姿勢に姿勢設定されるようにコイルスプリング６７３の付勢力を引寄せアーム６８に作用させるようにしてもよい。但し、このようにするには、操作部材６９が読取ユニット４０を固定するべく操作される前の位置（初期位置）に位置した状態で引寄せアーム６８がコイルスプリング６７３の付勢力に抗して解除姿勢を保持するように引寄せアーム回動構造７０のガイド板体７１および被操作杆７２の相対的な構造を上記の実施形態のものとは異なったものにする必要がある。
【０１１１】
かかる引寄せアーム回動構造７０を採用すれば、読取ユニット４０を筐体３０に固定尻に際し、初期位置に位置した操作レバー６９２を後方に向けて操作するに際し、コイルスプリング６７３の付勢力を受けることになるため操作が容易になる。
【０１１２】
（６）上記の実施形態においては、読取ユニット４０を筐体３０に固定する固定手段としてロックピン６３が採用されているが、このロックピン６３の機能を引寄せアーム６８に担わせてもよい。こうすることで特にロックピン６３を設けなくても読取ユニット４０を画像読取装置２０の筐体３０に固定することができるため、その分部品点数の削減に貢献することができる。
【図面の簡単な説明】
【０１１３】
【図１】本発明に係る画像読取装置が適用された画像形成装置の一実施形態の概要を示す説明図である。
【図２】画像読取装置の一実施形態を概念的に示す一部切り欠き斜視図である。
【図３】ロックユニットの一実施形態を示す分解斜視図である。
【図４】図３に示すロックユニットの左面側から見た組み立て斜視図である。
【図５】図３に示すロックユニットの右面側から見た組み立て斜視図であり、読取ユニットの被ロック突条に上昇したロックピンが貫通することにより読取ユニットがロックされた状態を示している。
【図６】図３に示すロックユニットの組み立て斜視図であり、ロックピンが下降した状態をそれぞれ示している。
【図７】引寄せアーム回動構造を説明するための拡大斜視図であり、（イ）は、スライド体が前方位置に位置設定された状態、（ロ）は、スライド体が前方位置から後方位置へ向けて位置変更しつつある状態、（ハ）は、スライド体が後方位置に位置設定された状態をそれぞれ示している。
【図８】ロックユニットの作用を説明するための説明図であり、（イ）は、引寄せアームが解除姿勢に姿勢設定されているとともに、ロックピンが下方位置に位置設定された状態、（ロ）は、引寄せアームが引寄せ姿勢に姿勢設定されているとともに、ロックピンが下方位置に位置設定された状態をそれぞれ示している。
【符号の説明】
【０１１４】
１０  画像形成装置          １１  装置本体
１１１  用紙搬送路          １１２  搬送ローラ対
１１３  第２転写ローラ      １１４  排紙搬送路
１２  画像形成部
１２Ｃ  シアン用ユニット    １２Ｋ  ブラック用ユニット
１２Ｍ  マゼンタ用ユニット  １２Ｙ  イエロー用ユニット
１２１  感光体ドラム        １２２  現像装置
１２３  帯電器              １２４  露光装置
１２５  転写ベルト          １２５ａ  駆動ローラ
１２５ｂ  従動ローラ        １２５ｃ  転写ローラ
１２６  クリーニング装置    １３  定着部
１３１  定着ローラ          １３２  加圧ローラ
１４  用紙貯留部            １４１  用紙トレイ
１４２  ピックアップローラ  １５  排紙部
１５１  排紙部              １６  画像読取部
１６０  外装カバー          １６１  原稿押えカバー
２０  画像読取装置          ３０  筐体
３１  コンタクトガラス      ３２  左方板
３３  長尺開口              ４０  読取ユニット
４１  光源ユニット          ４１１  光源
４１２  凹面鏡              ４１３  第１ミラー
４２  ミラーユニット        ４２１  第２ミラー
４２２  第３ミラー          ４３  左方フレーム
４４  係合突片              ４４１  係合孔
４５  フレーム              ４６  被ロック突条
４７  係合孔                ５１  レンズユニット
５２  ＣＣＤ                ６０  ロックユニット（固定手段）
６１  ハウジング            ６１１  外方板
６１２  底板                ６１３  天板
６１４  下部当接板          ６１５  上部当接板
６１６  貫通孔              ６１７  字金具
６１７ａ  水平板            ６１７ｂ  貫通孔
６１８  切起し片            ６２  スライド体
６２１  底板                ６２１ａ  切起し片
６２２  左側板              ６２２ａ  ねじ孔
６２３  折返し縁            ６３  ロックピン（ロック部材）
６４  カム部材              ６４１  カム本体
６４１ａ  傾斜面            ６４２  裾野板
６４３  ガイド溝            ６５  引寄せ機構
６６  ブラケット
６６１  垂直板              ６６２  軸受け板
６６２ａ  軸孔              ６６３  接続板
６７  架設軸                ６７１  セクトギヤ
６７２  クランク片          ６７３  コイルスプリング
６８  引寄せアーム（位置決め部材）
６８１  直状アーム          ６８２  係合片
６８３  アーム軸            ６８４  アームギヤ
６９  操作部材              ６９１  装着板
６９２  操作レバー（操作片）
６９３  底片                ６９４  係止孔
７０  アーム回動構造        ７１  ガイド板体
７１１  葛板体              ７１２  操作条
７１３  前方操作条          ７１４  中間操作条
７１５  後方操作条          ７２  被操作杆
７２１  小径円盤            ７２２  突設条
７２３  中間条              ７２４  干渉片
Ｐ  用紙                    Ｓ１  前方位置
Ｓ２  後方位置              Ｖ  装着空間
【図１】
2007065275.tif 000003
【図２】
2007065275.tif 000004
【図３】
2007065275.tif 000005
【図４】
2007065275.tif 000006
【図５】
2007065275.tif 000007
【図６】
2007065275.tif 000008
【図７】
2007065275.tif 000009
【図８】
2007065275.tif 000010